(57)【要約】【課題】  表示画面が湾曲しても、高品質な画像を表示することができる表示装置および表示方法を提供する。【解決手段】  湾曲度合検出部２０が、各分割部分の湾曲度合を検出し、視野角計算部３０が、湾曲度合に基づいて各分割部分の視野角を計算する。変倍率計算部３１は、算出された視野角を元に、分割部分ごとの変倍率を算出し、変倍率記憶部３２に記憶する。画像倍率変更部３３が、画像分割部３４によって分割された各分割画像に対して、変倍率記憶部３２に記憶されている変倍率に基づく変倍処理を施す。変倍処理後の分割画像を合成した変更後画像を表示パネル２に表示する。【選択図】      図１
2015004727.tif 000002
【特許請求の範囲】
【請求項１】
可撓性を有する表示パネルであって、画像を表示する表示画面を有し、互いに平行な仮想分割線によって分割される複数の仮想分割部分からなる表示パネルと、
表示画面が表示する画像を、各仮想分割部分に対応するように分割する画像分割部と、
各仮想分割部分の画像が表示される側の表面の湾曲度合を検出する湾曲検出部と、
画像分割部で分割された各画像に対して、湾曲検出部で検出された各湾曲度合に応じた画像処理を施す画像処理部と、
画像処理部によって画像処理が施された各画像を、対応するそれぞれの仮想分割部分に表示させる表示制御部と、を備えることを特徴とする表示装置。
【請求項２】
湾曲検出部は、
各仮想分割部分に、仮想分割線に直交する方向に沿って設けられた一対の導電線であって、一方の導電線が仮想分割部分の厚み方向一方側に設けられ、他方の導電線が仮想分割部分の厚み方向他方側に設けられる一対の導電線と、
仮想分割部分の仮想分割線に直交する方向の両端部間における一方の導電線および他方の導電線の電気抵抗値をそれぞれ測定する抵抗測定部と、
抵抗測定部で測定された一方の導電線の電気抵抗値と、他方の導電線の電気抵抗値との比率に基づいて湾曲度合を算出する算出部と、を備えることを特徴とする請求項１記載の表示装置。
【請求項３】
画像処理部は、画像分割部で分割された各画像に対して、検出された各仮想分割部分の湾曲度合に応じた変倍率で、各画像の仮想分割線に直交する方向の変倍処理を施すことを特徴とする請求項２記載の表示装置。
【請求項４】
表示パネルに対する観察者の相対的な位置を検出する位置検出部をさらに含み、
画像処理部は、画像分割部で分割された各画像に対して、検出された各仮想分割部分の湾曲度合および検出された観察者の相対的な位置に応じた変倍率で、各画像の仮想分割線に直交する方向の変倍処理を施すことを特徴とする請求項２記載の表示装置。
【請求項５】
可撓性を有する表示パネルに画像を表示する表示方法であって、
湾曲検出部が、互いに平行な仮想分割線によって分割される表示パネルの複数の仮想分割部分について、仮想分割部分ごとの湾曲度合を検出する工程と、
画像分割部が、表示画面に表示させる画像を、表示パネルの各仮想分割部分に対応するように分割する工程と、
画像処理部が、画像分割部で分割された各画像に対して、検出された各湾曲度合に応じた画像処理を施す工程と、
表示制御部が、画像処理が施された各画像を、対応するそれぞれの仮想分割部分に表示させる工程と、を備えることを特徴とする表示方法。
【発明の詳細な説明】
【技術分野】
【０００１】
本発明は、可撓性を有し、変形した状態で画像を表示することが可能な表示装置および表示方法に関する。
【背景技術】
【０００２】
液晶表示装置などに代表される表示装置は、大型化、薄型化および軽量化が可能となり、テレビジョン受像機やコンピュータのモニタとしてだけでなく、掲示板、広告看板、ホワイトボードなどの代替品として、駅舎、学校、病院などの公共施設に設置されることが多くなっている。
【０００３】
表示装置には、動画や複数種類の静止画を表示することができ、掲示板、広告看板の代替であれば、予め画像データを設定しておくことで、時間に応じて表示される画像を変化させることができる。掲示物や広告を貼り替える必要もなく、動きのある画像によって効果的な表示も可能である。
【０００４】
表示装置の表示画面は、通常平板状であり、ほとんど変形することができないので、設置場所によっては、表示装置の一部が突出した状態で設置しなければいけない。多くの人が行き交う場所に設置するような場合には、人が表示装置に接触しないように、たとえば、数メートルの高さに設置したり、大きな壁面に設置するなど設置場所が制限されてしまう。
【０００５】
設置場所が制限されないようにするために、樹脂製のフレキシブルな基板を用いた表示画面が湾曲する表示装置が実用化されている。表示画面が湾曲するので、たとえば円柱状の柱などの表面に沿うように画面を湾曲させて設置することにより、設置時に突出する部分がなくなり、設置場所が制限されなくなる。また表示画面を湾曲させて、表示装置にデザイン性を付与することもできる。
【０００６】
表示画面が湾曲することで、上記のような利点を有するが、表示しようとする画像は平板状の画面に表示することを前提としているため、湾曲した表示画面に表示させようとすると表示品質、表示信頼性の低下を招く。
【０００７】
特許文献１記載の表示装置は、基板の湾曲状態を変位センサで検出し、湾曲が検知されると、湾曲をしていない平坦な部分に画像を表示する。
【先行技術文献】
【特許文献】
【０００８】
【特許文献１】特開２０１１−１１８２４５号公報
【発明の概要】
【発明が解決しようとする課題】
【０００９】
円柱状の柱などに特許文献１記載の画像表示装置を貼り付ける場合には、全体が湾曲した状態となるので、平坦な部分がなく画像を表示することができなくなってしまう。
【００１０】
設置場所の制限をなくすため、デザイン性を確保するために、湾曲した表示画面に応じて画像を表示することができるような表示装置は無い。
【００１１】
本発明の目的は、表示画面が湾曲しても、高品質な画像を表示することができる表示装置および表示方法を提供することである。
【課題を解決するための手段】
【００１２】
本発明は、可撓性を有する表示パネルであって、画像を表示する表示画面を有し、互いに平行な仮想分割線によって分割される複数の仮想分割部分からなる表示パネルと、
表示画面が表示する画像を、各仮想分割部分に対応するように分割する画像分割部と、
各分割部分の画像が表示される側の表面の湾曲度合を検出する湾曲検出部と、
画像分割部で分割された各画像に対して、湾曲検出部で検出された各湾曲度合に応じた画像処理を施す画像処理部と、
画像処理部によって画像処理が施された各画像を、対応するそれぞれの仮想分割部分に表示させる表示制御部と、を備えることを特徴とする表示装置である。
【００１３】
また本発明は、湾曲検出部が、
各仮想分割部分に、仮想分割線に直交する方向に沿って設けられた一対の導電線であって、一方の導電線が仮想分割部分の厚み方向一方側に設けられ、他方の導電線が仮想分割部分の厚み方向他方側に設けられる一対の導電線と、
仮想分割部分の仮想分割線に直交する方向の両端部間における一方の導電線および他方の導電線の電気抵抗値をそれぞれ測定する抵抗測定部と、
抵抗測定部で測定された一方の導電線の電気抵抗値と、他方の導電線の電気抵抗値との比率に基づいて湾曲度合を算出する算出部と、を備えることを特徴とする。
【００１４】
また本発明は、画像処理部が、画像分割部で分割された各画像に対して、検出された各仮想分割部分の湾曲度合に応じた変倍率で、各画像の仮想分割線に直交する方向の変倍処理を施すことを特徴とする。
【００１５】
また本発明は、表示パネルに対する観察者の相対的な位置を検出する位置検出部をさらに含み、
画像処理部は、画像分割部で分割された各画像に対して、検出された各仮想分割部分の湾曲度合および検出された観察者の相対的な位置に応じた変倍率で、各画像の仮想分割線に直交する方向の変倍処理を施すことを特徴とする。
【００１６】
また本発明は、可撓性を有する表示パネルに画像を表示する表示方法であって、
湾曲検出部が、互いに平行な仮想分割線によって分割される表示パネルの複数の仮想分割部分について、仮想分割部分ごとの湾曲度合を検出する工程と、
画像分割部が、表示画面に表示させる画像を、表示パネルの各仮想分割部分に対応するように分割する工程と、
画像処理部が、画像分割部で分割された各画像に対して、検出された各湾曲度合に応じた画像処理を施す工程と、
表示制御部が、画像処理が施された各画像を、対応するそれぞれの仮想分割部分に表示させる工程と、を備えることを特徴とする表示方法である。
【発明の効果】
【００１７】
本発明によれば、表示パネルが、可撓性を有しており、互いに平行な仮想分割線によって分割される複数の仮想分割部分からなる。画像分割部は、表示画面が表示する画像を、各仮想分割部分に対応するように分割し、湾曲検出部は、各仮想分割部分の画像を表示する側の表面の湾曲度合を検出する。
【００１８】
画像処理部が、画像分割部で分割された各画像に対して、湾曲検出部で検出された各湾曲度合に応じた画像処理を施すと、表示制御部が、画像処理部によって画像処理が施された各画像を、対応するそれぞれの仮想分割部分に表示させる。
【００１９】
湾曲検出部によって、表示パネルの各分割部分における湾曲度合が検出されるので、湾曲度合に応じた画像処理を施すことで、表示画面が湾曲しても、高品質な画像を表示することができる。
【００２０】
また本発明によれば、各仮想分割部分には、仮想分割線に直交する方向に沿うようにし、かつ一方の導電線が分割部分の厚み方向一方側に設けられ、他方の導電線が仮想分割部分の厚み方向他方側に設けられる一対の導電線が含まれる。抵抗測定部は、仮想分割部分の仮想分割線に直交する方向の両端部間における一方の導電線および他方の導電線の電気抵抗値をそれぞれ測定し、算出部が、抵抗測定部で測定された一方の導電線の電気抵抗値と、他方の導電線の電気抵抗値との比率に基づいて湾曲度合を算出する。
【００２１】
変位センサなどの各種センサを用いることなく簡単な構成で湾曲度合を検出することができる。
【００２２】
また本発明によれば、画像処理部は、画像分割部で分割された各画像に対して、検出された各仮想分割部分の湾曲度合に応じた変倍率で、各画像の仮想分割線に直交する方向の変倍処理を施す。
【００２３】
画像に対して一方向の変倍処理を施すだけで、表示される画像の品質を向上させることができる。
【００２４】
また本発明によれば、表示パネルに対する観察者の相対的な位置を検出する位置検出部をさらに含んでおり、画像処理部は、画像分割部で分割された各画像に対して、検出された各仮想分割部分の湾曲度合および検出された観察者の相対的な位置に応じた変倍率で、各画像の仮想分割線に直交する方向の変倍処理を施す。
【００２５】
これにより、表示パネルを見る観察者の位置に応じた画像処理を施すことができるので、観察者が見る位置が異なっても表示される画像の品質を向上させることができる。
【００２６】
また本発明によれば、画像分割部が、表示画面に表示させる画像を、各仮想分割部分に対応するように分割し、湾曲検出部が、互いに平行な仮想分割線によって分割される表示パネルの複数の仮想分割部分について、仮想分割部分ごとの湾曲度合を検出する。
【００２７】
画像処理部が、画像分割部で分割された各画像に対して、検出された各湾曲度合に応じた画像処理を施すと、表示制御部が、画像処理が施された各画像を、対応するそれぞれの仮想分割部分に表示させる。
【００２８】
表示パネルの各仮想分割部分における湾曲度合を検出し、湾曲度合に応じた画像処理を施すことで、表示画面が湾曲しても、高品質な画像を表示することができる。
【図面の簡単な説明】
【００２９】
【図１】本発明の第１実施形態である表示装置１の構成を示すブロック図である。
【図２】湾曲度合検出部２０による湾曲度合の検出方法を説明するための図である。
【図３】個別に湾曲度合を検出する場合の湾曲度合検出部２０の構成を示す模式図である。
【図４】表示装置１による画像表示処理を示すフローチャートである。
【図５】第２実施形態の表示装置１Ａの構成を示すブロック図である。
【図６】第３実施形態の表示装置１Ｂの構成を示すブロック図である。
【発明を実施するための形態】
【００３０】
図１は、本発明の第１実施形態である表示装置１の構成を示すブロック図である。本発明は、可撓性を有する表示パネルを備える表示装置であって、表示パネルを湾曲させた状態で画像を表示することができる。
【００３１】
表示装置１は、画像を表示する表示パネル２と、表示パネル２の動作を制御する制御部３とを有する。表示パネル２は、樹脂製の可撓性基板で構成され、２つの基板間にたとえば液晶などの表示素子を含み、制御部３から入力される画像データに基づいて、少なくとも一方側の主面に画像を表示することができる。
【００３２】
表示パネル２は、たとえば、矩形状の表示画面２ａを有し、表示画面２ａに画像を表示する。表示パネル２は、可撓性を有するので、建物の柱など表示装置１を設置したいと所望する場所の形状に沿って湾曲させることができる。表示パネル２のどの部分をどの程度湾曲させるかは、設置しようとする壁面の形状による。
【００３３】
湾曲させた表示パネル２に表示させる画像を、平板状の湾曲していない表示パネルに表示させる画像と同じ画像とすると、湾曲部分で画像が歪んだり、縮んで見えたりするので好ましくない。
【００３４】
本発明は、表示装置１が、表示パネル２の湾曲度合を自己判断し、湾曲度合に応じた画像処理を施して、湾曲状態の表示パネル２に画像を表示する。湾曲度合を自己判断するために、表示パネル２は、予め複数の仮想的な分割部分（仮想分割部分）に分割され、分割部分ごとに、その画像を表示する側の表面がどの方向にどのぐらい湾曲しているかを検出する。表示画面２ａは、本実施形態では矩形状である。分割部分は、この表示画面２ａの垂直辺に平行な仮想分割線によって分割される。図１に示す例では、表示パネル２は、水平方向に分割部分Ａ〜Ｆの順に６分割される。
【００３５】
表示パネル２は、湾曲度合検出部２０を有し、分割部分ごとの湾曲度合を検出する。湾曲度合の検出方法は、特に限定されないが、少なくとも分割部分が、画像が表示される表示面側に向かって凸に湾曲しているか、背面側に向かって凸に湾曲しているか、どの程度湾曲しているかが検出できればよい。
【００３６】
湾曲度合検出部２０が、分割部分ごとに湾曲度合を検出すると、検出した湾曲度合を制御部３側へと送信する。
【００３７】
制御部３は、視野角計算部３０、変倍率計算部３１、変倍率記憶部３２、画像倍率変更部３３、画像分割部３４、画像データ記憶部３５を備える。視野角計算部３０は、表示パネル２の湾曲度合検出部２０で検出された湾曲度合を受け取り、湾曲度合に基づいて各分割部分の視野角を計算する。
【００３８】
ここで、視野角は、表示パネル２の設置位置に対して、所定の距離だけ離れた正面位置から表示パネル２を見る観察者を想定し、視野角計算部３０は、この想定した観察者から各分割部分を見たときの視野角を計算する。
【００３９】
変倍率計算部３１は、視野角計算部３０で算出された、分割部分ごとの視野角に基づいて、分割部分ごとの目標変倍率を算出する。また、変倍率を変更する場合に必要な変更刻み幅も算出しておく。
【００４０】
分割部分ごとに、すでに変倍率が設定されている場合には、設定されている変倍率と目標変倍率とを比較し、一致すれば変倍率記憶部３２の該当する分割部分に割り当てられた記憶領域に変倍率を記憶する。一致しなければ変倍率を、変更刻み幅分変更し、変倍率記憶部３２の該当する分割部分に割り当てられた記憶領域に変倍率を記憶する。
【００４１】
画像データ記憶部３５には、予め表示パネル２に表示させる画像が記憶されている。表示パネル２の湾曲度合に応じた画像に変更する前の画像を変更前画像、表示パネル２の湾曲度合に応じた画像に変更した後の画像を変更後画像とする。
【００４２】
画像データ記憶部３５に記憶されている変更前画像は、画像分割部３４で、各分割部分に対応するように分割されて分割画像となる。
【００４３】
画像倍率変更部３３は、変倍率記憶部３２に記憶されている分割部分ごとの変倍率に基づいて、各分割部分に対応する分割画像に対して変倍処理を行う。この変倍処理を全ての分割画像に施し、得られた変倍処理後の分割画像を合成して変更後画像を作成し、画像データ記憶部３５に記憶する。
【００４４】
変更後画像を表示パネル２に表示させることで、表示パネル２の湾曲度合に応じて適宜変倍処理が施された画像を表示することができる。
【００４５】
たとえば、表示パネル２を建物の柱に設置し、表示パネル２が略半円状に湾曲したものとする。半円状の表示パネル２を正面から見た観察者において、中央の分割部分Ｃ，Ｄは視野角が最も大きく、分割部分Ｃ，Ｄの両隣の分割部分Ｂ，Ｅは視野角が小さく、両端の分割部分Ａ，Ｆは視野角が最も小さい。
【００４６】
変倍処理を施していない変更前画像をそのまま半円状に湾曲した表示パネル２に表示すると、正面の観察者は、中央の分割部分Ｃ，Ｄに表示された画像は、そのままの画像で見えるが、分割部分Ｂ，Ｅに表示された画像は、水平方向に縮小したように見える。両端の分割部分Ａ，Ｆに表示された画像は、さらに縮小したように見える。
【００４７】
このような表示を是正し、湾曲した表示パネル２であっても、湾曲していない表示パネル２に表示しているかのように観察者に見えるように、変倍処理を行えばよい。中央の分割部分Ｃ，Ｄに表示される分割画像については、ほとんど変倍する必要がない。分割部分Ｂ，Ｅに表示される分割画像については、水平方向に拡大するように変倍処理を施す。両端の分割部分Ａ，Ｆに表示される分割画像については、水平方向にさらに拡大するように変倍処理を施す。
【００４８】
以上の例は、半円状に湾曲した表示パネル２の場合についてであるが、これに限らず表示パネルの水平方向一端側のみが湾曲していたり、波状に湾曲している場合など種々の湾曲状態のいずれであっても、正面の観察者を基準とした視野角を分割部分ごとに算出し、視野角に応じて変倍率を算出し、各分割画像に対して変倍処理を施せば、観察者からは歪みの少ない画像を見ることができる。
【００４９】
図２は、湾曲度合検出部２０による湾曲度合の検出方法を説明するための図である。図２（ａ）は、湾曲していない状態の１つの分割部分を示す図であり、図２（ｂ）は、湾曲した状態の１つの分割部分を示す図である。また図２は、表示パネル２を鉛直方向から見たときの図である。
【００５０】
湾曲度合検出部２０は、表示パネル２の画像表示領域外に埋め込まれた一対の導電線１００，１０１を有している。一方の導電線１００が分割部分の厚み方向一方側に設けられ、他方の導電線１０１が分割部分の厚み方向他方側に設けられる。厚み方向一方側が、画像表示される表面側、厚み方向他方側が背面側とすると、導電線１００は表面側に位置し、導電線１０１は背面側に位置する。これら一対の導電線１００，１０１は、分割部分に埋め込まれており、分割部分の湾曲に沿って同様に湾曲する。また、これらの導電線１００，１０１は、電気抵抗率が既知の材質からなり、分割部分の水平方向の両端部間（Ａ点−Ｂ点間）における導電線１００および導電線１０１の電気抵抗値は予め測定されている。湾曲度合検出部２０は、Ａ点−Ｂ点間における導電線１００および導電線１０１の電気抵抗値を測定する測定部を有している。測定したときに、導電線１００および導電線１０１の電気抵抗値が等しく、予め測定していた測定値と同じであれば、分割部分は湾曲していない、たとえば湾曲度合が０（ゼロ）であることがわかる。
【００５１】
分割部分が湾曲している場合は、Ａ点−Ｂ点間における導電線の長さが変化する。図２（ｂ）の例では、表面側の導電線１００よりも背面側の導電線１０１のＡ点−Ｂ点間における長さが短くなる。このときに、Ａ点−Ｂ点間における導電線１００および導電線１０１の電気抵抗値を測定すると、表面側の導電線１００の電気抵抗値よりも背面側の導電線１０１の電気抵抗値のほうが、長さが短い分だけ低くなる。
【００５２】
Ａ点−Ｂ点間における導電線の長さの違いは、湾曲の度合が大きいほど大きくなり、湾曲の度合が小さいほど小さくなる。すなわち、湾曲の度合が大きいほど、導電線１００および導電線１０１の電気抵抗値の差が大きくなる。
【００５３】
したがって、導電線１００および導電線１０１の電気抵抗値の差、または導電線１００および導電線１０１の電気抵抗値の比率は、分割部分の湾曲度合と一定の関係にあるので、導電線１００および導電線１０１の電気抵抗値をそれぞれ測定することで、測定した電気抵抗値に基づいて分割部分の湾曲度合を決定することができる。
【００５４】
湾曲度合は、たとえば、湾曲していない状態を０（ゼロ）とし、表示パネル２の材質および表示品質などの条件から決まる、最も湾曲した状態を１００とし、０〜１００までの数値で表すことができる。
【００５５】
このように、１つの分割部分について湾曲度合を検出することができるので、表示パネル２を構成する全ての分割部分について同様に湾曲度合を検出することができる。導電線１００および導電線１０１は、表示パネル２の水平方向両端部間にわたってそれぞれ一本づつ設ければよく、各分割部分は、一本の導電線の一部を利用すればよい。
【００５６】
分割部分ごとの湾曲度合は、同時に全ての分割部分の湾曲度合を検出してもよく、複数の分割部分のうちいずれかを選択して個別に湾曲度合を検出してもよい。図３は、個別に湾曲度合を検出する場合の湾曲度合検出部２０の構成を示す模式図である。
【００５７】
湾曲度合検出部２０は、測定位置選択器２１を有し、分割部分ごとに設けられた抵抗値測定位置（Ａ点、Ｂ点）から１つの分割部分に対する測定位置を選択し、選択した測定位置における導電線１００および導電線１０１のＡ点−Ｂ点間の電気抵抗値を測定する。いずれの測定位置を選択するかは、制御部３から測定位置選択器２１に対して測定対象指示が入力されるので、測定位置選択器２１が、測定対象指示に従って、導電線１００および導電線１０１のＡ点−Ｂ点間の電気抵抗値を測定し、測定した２つの電気抵抗値に基づいて湾曲度合を算出する。算出した湾曲度合は、制御部３へと出力される。
【００５８】
次に、本発明の第２実施形態について説明する。第１実施形態では、視野角および変倍率を、観察者が表示パネル２の正面に位置するものとし、正面に位置する観察者が見たときに適切な画像が表示されるように、各分割画像に対して変倍処理を施している。
【００５９】
表示パネル２は、公共施設などに主に設置され、色々な人が見ることになるので、必ずしも表示パネル２の正面から全ての人が表示パネル２を見るとは限らない。たとえば、表示パネル２を斜め方向から見る場合には、第１実施形態によって、正面の観察者に適した画像を表示しても、斜め方向から見る観察者によっては、やはり画像は歪んで見えることになる。また、湾曲した状態の表示パネル２では、観察者の位置によっては、全く見ることができない分割部分も存在することになる。
【００６０】
このような場合であっても、観察者に適した画像を表示するためには、表示パネル２に対する観察者の相対的な位置を検出し、検出した位置に応じて画像に対する変倍処理を行うことが好ましい。
【００６１】
図４は、表示装置１による画像表示処理を示すフローチャートである。本フローは、表示パネル２を設置場所に設置した状態、すなわち建物の壁面や柱などに沿って所望の形状に表示パネル２を湾曲させた状態で、画像データ記憶部３５に記憶されている変更前画像に変倍処理を施して表示させようとするものである。
【００６２】
ステップＳ１では、湾曲度合検出部２０が、各分割部分の湾曲度合を検出し、検出結果を制御部３へと送る。ステップＳ２では、制御部３の視野角計算部３０は、分割部分ごとの湾曲度合を受け取り、湾曲度合に基づいて各分割部分の視野角を計算する。
【００６３】
ステップＳ３では、変倍率計算部３１が、算出された視野角を元に、分割部分ごとの目標変倍率と、変倍率変更のための変更刻み幅とを算出する。
【００６４】
ステップＳ４では、変倍率計算部３１が、現在設定されている変倍率と目標変更倍率とを分割部分ごとに比較し、一致するかどうかを判断する。全て一致していれば、ステップＳ９に進み、既に画像データ記憶部３５に記憶されている変更後画像を表示パネル２に表示させる。一致していなければ、ステップＳ５で、一致していない変倍率についてステップＳ３で算出した変更刻み幅分変更する。ステップＳ６では、変更後の変倍率を分割部分ごとに変倍率記憶部３２に記憶する。
【００６５】
ステップＳ７では、画像分割部３４によって分割されていた各分割画像に対して、変倍率記憶部３２に記憶されている変倍率に基づく変倍処理を施す。ステップＳ８では、変倍処理後の分割画像を合成し、変更後画像として画像データ記憶部３５に記憶する。ステップＳ９では、画像データ記憶部３５に記憶した変更後画像を表示パネル２に表示する。
【００６６】
図５は、第２実施形態の表示装置１Ａの構成を示すブロック図である。第１実施形態との違いは、観察者位置検出部４０を有していること、視野角計算部３０が、湾曲度合と観察者位置情報とに基づいて視野角を計算することである。他の構成については、第１実施形態と同様であるので、詳細については説明を省略する。
【００６７】
観察者位置検出部４０は、観察者の表示パネル２に対する位置を検出するためのセンサ４１を含む。本実施形態では、センサ４１は、表示パネル２が設置された位置の正面側の床に設けられた重量センサである。重量センサを、たとえばマトリクス状に配置し、観察者が表示パネル２の近傍に来たときに重量センサが観察者による荷重を検出する。マトリクス状に配置された重量センサのうち、荷重を検出したセンサの位置を観察者の位置とすることができる。表示パネル２に対する各重量センサの配置位置は、決まっているので、重量センサが荷重を検出すると、表示パネル２に対する荷重を検出した重量センサの相対位置が、表示パネル２に対する観察者の相対位置として検出できる。
【００６８】
たとえば、第１実施形態と同様に、表示パネル２が半円状に湾曲しており、観察者位置検出部４０によって観察者の位置が、表示パネル２に向かって左側の位置であることが検出されたものとする。視野角計算部３０は、湾曲度合によって、表示パネル２が半円状に湾曲していることがわかるので、観察者が左側に位置する場合は、分割部分Ｂ，Ｃの視野角が大きく、分割部分Ａ，Ｄの視野角が小さく算出される。分割部分Ｅ，Ｆについては、観察者の位置からはほとんど見ることができないので、分割部分Ｅ，Ｆの視野角を０（ゼロ）とする。
【００６９】
変倍率計算部３１では、分割部分Ｅ，Ｆには画像を表示しないように変倍率を算出せず、分割部分Ａ〜Ｄの変倍率を算出し、変倍率記憶部３２に記憶させる。
【００７０】
このように、画像を表示しない分割部分が生じた場合に、残りの分割部分で画像全体を表示するためには、画像分割部３４による画像の分割を変更する必要がある。上記の例では、分割部分Ａ〜Ｄに画像全体を表示する必要があるため、分割画像を６分割から４分割に変更する。４つの分割画像は、それぞれ分割部分Ａ〜Ｄに表示される。
【００７１】
画像分割部３４による画像分割の変更は、視野角計算部３０の計算結果、変倍率計算部３１の計算結果または変倍率記憶部３２に記憶された変倍率のいずれかを画像分割部３４が参照して、分割数の変更を行えばよい。
【００７２】
なお、表示パネル２の湾曲状態と観察者の位置から観察者に見えない分割部分がなく、観察者が全ての分割部分を見ることができる場合には、画像分割部３４による画像分割を変更する必要はない。
【００７３】
画像倍率変更部３３による各分割画像に対する変倍処理については、第１実施形態と同様である。
【００７４】
このような変倍処理が施された分割画像を変更後画像として、表示パネル２に表示することにより、表示パネル２の湾曲状態に加え、観察者の位置まで考慮した最適な画像表示を行うことができる。
【００７５】
なお、上記では、観察者の位置に応じて画像分割部３４による画像分割数を変更し、観察者から見えない分割部分には画像を表示しない場合について説明したが、これに限らず、仮想分割線の位置を変更して各分割部分の幅を変更してもよい。
【００７６】
たとえば、観察者の位置が、表示パネル２に向かって左側の位置であることが検出された場合には、観察者からほとんで見えない部分、すなわち表示パネル２の中央から右半分を１つの分割部分とし、表示パネル２の中央から左半分を分割して５つの分割部分とする。各分割部分の幅を変更したときは、図３に示した湾曲度合検出部２０において、測定位置を各分割部分に応じて変更し、分割部分ごとの湾曲度合を測定することができる。画像分割部３４では、変更された分割部分に応じて変更前画像を分割して分割画像を生成する。視野角計算部３０は、変更後の分割部分の湾曲度合に基づいて各分割部分の視野角を計算する。変倍率計算部３１以降の処理は、上記と同様である。
【００７７】
このように、観察者からよく見える部分において、各分割部分の幅を小さくすることで、よりきめの細かい表示画像の制御が可能となる。
【００７８】
図６は、第３実施形態の表示装置１Ｂの構成を示すブロック図である。第２実施形態との違いは、明度計算部５０、明度記憶部５１、画像明度変更部５２を有していることである。他の構成については、第２実施形態と同様であるので、詳細については説明を省略する。
【００７９】
本実施形態では、視野角計算部３０で計算された視野角に応じて各分割部分の明度を変更しようとするものである。視野角が小さい分割部分は、観察者から見にくい部分であるので、明度を大きくして視認性を向上させるのが好ましい。
【００８０】
明度計算部５０は、視野角計算部３０で算出された、分割部分ごとの視野角に基づいて、分割部分ごとの明度を算出する。算出した明度は、明度記憶部５１の該当する分割部分に割り当てられた記憶領域に記憶される。画像明度変更部５２は、画像倍率変更部３３で変倍処理が施された変倍処理後の各分割画像に対して、明度記憶部５１に記憶されている明度に応じた明度の変更を行い、得られた明度変更後の分割画像を合成して変更後画像を作成し、画像データ記憶部３５に記憶する。
【００８１】
分割画像ごとに明度が異なる場合、分割画像の境界において、明度のギャップが生じ、画像の表示品質が低下するおそれがあるので、明度記憶部５１に記憶された明度のうち、隣合う分割部分同士の明度の差が、予め定める閾値よりも大きい場合には、境界の近傍、すなわち、分割部分の水平方向端部においては、明度が段階的に変化するように補正するのが好ましい。
【００８２】
なお、第３実施形態は、第２実施形態に対してさらに明度変更処理を追加したものとしているが、第１実施形態に対してさらに明度変更処理を追加したものであってもよい。
【００８３】
上記の各実施形態において、表示パネル２の分割部分は、その大きさが予め定める固定の大きさであるものとして説明したが、表示パネル２の分割部分の大きさが固定ではなく可変、すなわち仮想分割線の位置を任意に変更可能な構成であってもよい。
【符号の説明】
【００８４】
１，１Ａ，１Ｂ      表示装置
２      表示パネル
２ａ    表示画面
３      制御部
２０    湾曲度合検出部
２１    測定位置選択器
３０    視野角計算部
３１    変倍率計算部
３２    変倍率記憶部
３３    画像倍率変更部
３４    画像分割部
３５    画像データ記憶部
４０    観察者位置検出部
４１    センサ
５０    明度計算部
５１    明度記憶部
５２    画像明度変更部
１００，１０１  導電線
【図１】
2015004727.tif 000003
【図２】
2015004727.tif 000004
【図３】
2015004727.tif 000005
【図４】
2015004727.tif 000006
【図５】
2015004727.tif 000007
【図６】
2015004727.tif 000008